【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
よみと当該よみに対応する語句が登録された複数の辞書データの検索を行う装置において、前記よみに該当する選択候補を出力する辞書データ検索方法であって、
（ａ）よみの入力を受けるステップと、
（ｂ）予め定めた順に従って前記複数の辞書データを選択するステップと、
（ｃ）入力されたよみに該当する選択候補をこの選択された辞書データから抽出するステップと、
（ｄ）順次各辞書データについてステップ（ｂ）（ｃ）を繰り返して、選択候補を出力するステップとを備え、
少なくとも一つの辞書データに対する前記ステップ（ｃ）の処理において、抽出された選択候補の数が当該辞書データについて定められた出力を制限する選択候補の数に達した場合には、当該辞書データからの選択候補の抽出を終了することを特徴とする辞書データ検索方法。
【請求項２】
各辞書データの順次検索によって抽出した選択候補の総数が、制限された選択候補の総数を超える場合には、越えない範囲で選択候補を出力することを特徴とする請求項１記載の辞書データ検索方法。
【請求項３】
前記少なくとも一つの辞書データを含む複数の辞書データについて、出力する選択候補の総数を制限することを特徴とする請求項１記載の辞書データ検索方法。
【請求項４】
前記少なくとも一つの辞書データを含む複数の辞書データについて、出力する選択候補の数を、当該少なくとも一つの辞書データを含む複数の辞書データの各辞書データに対して制限することを特徴とする請求項１または２記載の辞書データ検索方法。
【請求項５】
前記少なくとも一つの辞書データは、選択的に追加される辞書データであることを特徴とする請求項１記載の辞書データ検索方法。
【請求項６】
前記選択的に追加される辞書データは通信ネットワーク経由でダウンロードされる辞書データであることを特徴とする請求項５記載の辞書データ検索方法。
【請求項７】
前記複数の辞書データのうち少なくとも一つは予測変換手法により検索されることを特徴とする請求項１記載の辞書データ検索方法。
【請求項８】
入力操作部からの指示に従って前記出力を制限する選択候補の数を設定するステップをさらに備えたことを特徴とする請求項１記載の辞書データ検索方法。
【請求項９】
入力操作部からの指示に従って前記複数の辞書データの検索の順序を変更するステップをさらに備えたことを特徴とする請求項１記載の辞書データ検索方法。
【請求項１０】
入力操作部からの指示に従って前記複数の辞書データのうち指定した辞書データを検索の対象から外すステップをさらに備えたことを特徴とする請求項１記載の辞書データ検索方法。
【請求項１１】
よみと当該よみに対応する語句が登録された辞書データが複数記憶された記憶手段と、
前記よみを入力するための入力操作部と、
前記入力操作部によって、よみが入力された場合、前記記憶手段に記憶されている複数の辞書データを予め定められた順に従って順次検索し、当該よみに対応する語句の１以上の選択候補を抽出して出力する検索手段と、
前記複数の辞書データのうち、少なくとも一つの辞書データについて、出力する選択候補の数を制限する制限手段と、
前記出力された１以上の選択候補を表示する表示部とを備え、
前記検索手段は、前記少なくとも一つの辞書データを検索する場合に、出力する選択候補の数が前記制限手段で制限された選択候補の数に達した場合には、当該辞書データの検索を終了し、前記制限された数の選択候補を出力する
辞書データ検索装置。
【請求項１２】
前記制限手段は、更に、全ての辞書データの検索において出力する選択候補の総数を制限し、
前記検索手段は、各辞書データの順次検索によって抽出した選択候補の総数が、前記制限手段で制限された選択候補の総数を超える場合には、越えない範囲で選択候補を出力することを特徴とする請求項１１記載の辞書データ検索装置。
【請求項１３】
前記制限手段は、前記少なくとも一つの辞書データを含む複数の辞書データについて、出力する選択候補の総数を制限することを特徴とする請求項１１記載の辞書データ検索装置。
【請求項１４】
前記制限手段は、前記少なくとも一つの辞書データを含む複数の辞書データについて、出力する選択候補の数を、当該少なくとも一つの辞書データを含む複数の辞書データの各辞書データに対して制限することを特徴とする請求項１１記載の辞書データ検索装置。
【請求項１５】
前記少なくとも一つの辞書データは、前記入力操作部からの指示に応じて、選択的に追加される辞書データであることを特徴とする請求項１１記載の辞書データ検索装置。
【請求項１６】
前記選択的に追加される辞書データを通信ネットワーク経由でダウンロードする手段をさらに備えたことを特徴とする請求項１５記載の辞書データ検索装置。
【請求項１７】
前記検索手段は、前記複数の辞書データのうち少なくとも一つの辞書データを予測変換手法により検索することを特徴とする請求項１１記載の辞書データ検索装置。
【請求項１８】
前記入力操作部からの指示に従って、前記制御手段が制限する選択候補の数を設定する手段をさらに備えたことを特徴とする請求項１１記載の辞書データ検索装置。
【請求項１９】
前記入力操作部からの指示に従って前記複数の辞書データの検索の順序を変更する手段をさらに備えたことを特徴とする請求項１１記載の辞書データ検索装置。
【請求項２０】
前記入力操作部からの指示に従って前記複数の辞書データのうち指定された辞書データを検索の対象から外す手段をさらに備えたことを特徴とする請求項１１記載の辞書データ検索装置。
【請求項２１】
よみと当該よみに対応する語句が登録された複数の辞書データの検索を行う装置において実行され、前記よみに該当する選択候補を出力する辞書データ検索プログラムであって、
（ａ）よみの入力を受けるステップと、
（ｂ）予め定めた順に従って前記複数の辞書データを選択するステップと、
（ｃ）入力されたよみに該当する選択候補をこの選択された辞書データから抽出するステップと、
（ｄ）順次各辞書データについてステップ（ｂ）（ｃ）を繰り返して、選択候補を出力するステップとを備え、
少なくとも一つの辞書データに対する前記ステップ（ｃ）の処理において、抽出された選択候補の数が当該辞書データについて定められた出力を制限する選択候補の数に達した場合には、当該辞書データからの選択候補の抽出を終了することを特徴とする辞書データ検索プログラム。
【請求項２２】
前記ステップ（ｃ）では各辞書データの累積した選択候補数が全辞書データについて制限された選択候補の総数を超える場合には、越えない範囲で選択候補を出力することを特徴とする請求項２１記載の辞書データ検索プログラム。
【請求項２３】
前記少なくとも一つの辞書データを含む複数の辞書データについて、出力する選択候補の総数を制限することを特徴とする請求項２１記載の辞書データ検索プログラム。
【請求項２４】
前記少なくとも一つの辞書データを含む複数の辞書データについて、出力する選択候補の数を、当該少なくとも一つの辞書データを含む複数の辞書データの各辞書データに対して制限することを特徴とする請求項２１記載の辞書データ検索プログラム。
【請求項２５】
前記少なくとも一つの辞書データは、選択的に追加される辞書データであることを特徴とする請求項２１記載の辞書データ検索プログラム。
【請求項２６】
前記選択的に追加される辞書データは通信ネットワーク経由でダウンロードされる辞書データであることを特徴とする請求項２５記載の辞書データ検索プログラム。
【請求項２７】
前記複数の辞書データのうち少なくとも一つは予測変換手法により検索されることを特徴とする請求項２１記載の辞書データ検索プログラム。
【請求項２８】
入力操作部からの指示に従って前記出力を制限する選択候補の数を設定するステップをさらに備えたことを特徴とする請求項２１記載の辞書データ検索プログラム。
【請求項２９】
入力操作部からの指示に従って前記複数の辞書データの検索の順序を変更するステップをさらに備えたことを特徴とする請求項２１記載の辞書データ検索プログラム。
【請求項３０】
入力操作部からの指示に従って前記複数の辞書データのうち指定した辞書データを検索の対象から外すステップをさらに備えたことを特徴とする請求項２１記載の辞書データ検索プログラム。
【手続補正２】
【補正対象書類名】明細書
【補正対象項目名】００１１
【補正方法】変更
【補正の内容】
【００１１】
【課題を解決するための手段】
本発明による辞書データ検索方法は、よみと当該よみに対応する語句が登録された複数の辞書データの検索を行う装置において、前記よみに該当する選択候補を出力する辞書データ検索方法であって、
（ａ）よみの入力を受けるステップと、
（ｂ）予め定めた順に従って前記複数の辞書データを選択するステップと、
（ｃ）入力されたよみに該当する選択候補をこの選択された辞書データから抽出するステップと、
（ｄ）順次各辞書データについてステップ（ｂ）（ｃ）を繰り返して、選択候補を出力するステップとを備え、
【手続補正３】
【補正対象書類名】明細書
【補正対象項目名】００１２
【補正方法】変更
【補正の内容】
【００１２】
少なくとも一つの辞書データに対する前記ステップ（ｃ）の処理において、抽出された選択候補の数が当該辞書データについて定められた出力を制限する選択候補の数に達した場合には、当該辞書データからの選択候補の抽出を終了することを特徴とする。
【手続補正４】
【補正対象書類名】明細書
【補正対象項目名】００１４
【補正方法】変更
【補正の内容】
【００１４】
各辞書データの順次検索によって抽出した選択候補の総数が、制限された選択候補の総数を超える場合には、越えない範囲で選択候補を出力するようにすることができる。
【手続補正５】
【補正対象書類名】明細書
【補正対象項目名】００２１
【補正方法】変更
【補正の内容】
【００２１】
本発明による辞書データ検索装置は、よみと当該よみに対応する語句が登録された辞書データが複数記憶された記憶手段と、前記よみを入力するための入力操作部と、前記入力操作部によって、よみが入力された場合、前記記憶手段に記憶されている複数の辞書データを予め定められた順に従って順次検索し、当該よみに対応する語句の１以上の選択候補を抽出して出力する検索手段と、前記複数の辞書データのうち、少なくとも一つの辞書データについて、出力する選択候補の数を制限する制限手段と、前記出力された１以上の選択候補を表示する表示部とを備え、前記検索手段は、前記少なくとも一つの辞書データを検索する場合に、出力する選択候補の数が前記制限手段で制限された選択候補の数に達した場合には、当該辞書データの検索を終了し、前記制限された数の選択候補を出力することを特徴とする。
【手続補正６】
【補正対象書類名】図面
【補正対象項目名】図７
【補正方法】変更
【補正の内容】
【図７】
2004021321.tif 000001